【手続補正書】
【提出日】平成28年2月18日(2016.2.18)
【手続補正１】
【補正対象書類名】特許請求の範囲
【補正対象項目名】請求項２
【補正方法】変更
【補正の内容】
【請求項２】
前記ウィンドウ管理部は、
前記ユーザの前記表示部上における視野範囲を特定する視野範囲特定部を含み、
前記ユーザがログアウトするとき、前記ユーザの視野範囲における前記ウィンドウ群の前記表示部に表示されるレイアウトを記憶し、前記ユーザがログインするとき、前記ユーザの前記視野範囲に前記レイアウトを復元して、前記ユーザが使用するウィンドウを表示させる
請求項１に記載の情報処理装置。
【手続補正２】
【補正対象書類名】特許請求の範囲
【補正対象項目名】請求項３
【補正方法】変更
【補正の内容】
【請求項３】
前記ウィンドウ管理部は、
前記表示部上におけるウィンドウ群の実座標に基づいて、前記視野範囲に設定する座標系で表現される相対座標を算出する、または、前記相対座標および前記視野範囲に基づいて前記表示部上におけるウィンドウ群の前記実座標を算出する座標算出部を含み、
前記ユーザがログアウトするとき、前記ユーザの視野範囲における前記ウィンドウ群の前記表示部に表示されるレイアウトの実座標に対応する前記相対座標からなるレイアウトデータを記憶させ、前記ユーザがログインするとき、前記レイアウトデータを読み出し、前記相対座標と前記視野範囲に対応する、前記実座標で前記ユーザが使用するウィンドウ群を、前記ユーザの前記視野範囲に前記レイアウトを復元して表示させる
請求項２に記載の情報処理装置。
【手続補正３】
【補正対象書類名】明細書
【補正対象項目名】００１１
【補正方法】変更
【補正の内容】
【００１１】
前記ウィンドウ管理部には、前記ユーザの前記表示部上における視野範囲を特定する視野範囲特定部を含ませるようにすることができ、前記ユーザがログアウトするとき、前記ユーザの視野範囲における前記ウィンドウ群の前記表示部に表示されるレイアウトを記憶し、前記ユーザがログインするとき、前記ユーザの前記視野範囲に前記レイアウトを復元して、前記ユーザが使用するウィンドウを表示させるようにすることができる。
【手続補正４】
【補正対象書類名】明細書
【補正対象項目名】００１２
【補正方法】変更
【補正の内容】
【００１２】
前記ウィンドウ管理部には、前記表示部上におけるウィンドウ群の実座標に基づいて、前記視野範囲に設定する座標系で表現される相対座標を算出する、または、前記相対座標および前記視野範囲に基づいて前記表示部上におけるウィンドウ群の前記実座標を算出する座標算出部を含ませるようにすることができ、前記ユーザがログアウトするとき、前記ユーザの視野範囲における前記ウィンドウ群の前記表示部に表示されるレイアウトの実座標に対応する前記相対座標からなるレイアウトデータを記憶させ、前記ユーザがログインするとき、前記レイアウトデータを読み出し、前記相対座標と前記視野範囲に対応する、前記実座標で前記ユーザが使用するウィンドウ群を、前記ユーザの前記視野範囲に前記レイアウトを復元して表示させるようにすることができる。
【手続補正５】
【補正対象書類名】明細書
【補正対象項目名】００５０
【補正方法】変更
【補正の内容】
【００５０】
例えば、図４の左上部で示されるユーザａの視野範囲Ｒａの場合、考慮すべきウィンドウは、視野範囲Ｒａに含まれるウィンドウＷ１乃至Ｗ３である。そこで、このような場合、座標算出部３２は、図４の右上部で示されるように、実座標に基づいて、視野範囲Ｒａの水平方向の中心軸Ｌ１および垂直方向の中心軸Ｌ２を設定し、軸Ｌ１，Ｌ２の交点を原点０に設定する。さらに、座標算出部３２は、原点Ｏから視野範囲Ｒａの上辺、下辺、左辺、および右辺までの距離を１に設定する座標系を設定し、図４の右下部で示されるような、ウィンドウＷ１乃至Ｗ３の左上座標、および右下座標を相対座標として設定する。
【手続補正６】
【補正対象書類名】明細書
【補正対象項目名】００５１
【補正方法】変更
【補正の内容】
【００５１】
図４の右下部においては、例えば、ウィンドウＷ１の左上座標が（−０．７，０．５）であり、右下座標が（０，０）とされている。また、ウィンドウＷ２の左上座標が（０．２５，０．２）であり、右下座標が（０．８，０）とされている。さらに、ウィンドウＷ３の左上座標が（−０．２５，−０．２）であり、右下座標が（０．２５，０．２）とされている。
【手続補正７】
【補正対象書類名】明細書
【補正対象項目名】００７７
【補正方法】変更
【補正の内容】
【００７７】
この場合、表示部２７が小型であると、ログオフしたデバイスが大型の表示部２７を備えた機器であって、次にログインするデバイスが小型の表示部２７のみしか備えていない可能性がある。このような場合、上述した手法で全てのウィンドウを表示しようとすると、非常に小さなウィンドウサイズとなり閲覧が困難になる恐れがある。
【手続補正８】
【補正対象書類名】明細書
【補正対象項目名】００９４
【補正方法】変更
【補正の内容】
【００９４】
すなわち、ウィンドウ管理部２５は、図１２の左部で示されるように視野範囲Ｒｘに対して、ウィンドウＷ２１乃至Ｗ２３がレイアウトされた場合、図１２の中央上部で示されるように、表示部２７に対して表示しきれない場合、図１２の右上部で示されるように縮小して表示するようにしてもよい。
【手続補正９】
【補正対象書類名】明細書
【補正対象項目名】００９９
【補正方法】変更
【補正の内容】
【００９９】
図１４は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【手続補正１０】
【補正対象書類名】明細書
【補正対象項目名】０１１１
【補正方法】変更
【補正の内容】
【０１１１】
尚、本技術は、以下のような構成も取ることができる。
（１）  ユーザ毎に使用されるアプリケーションプログラムからなるコンテンツ毎のウィンドウを表示する表示部と、
前記表示部を閲覧するユーザを個別に認識するユーザ認識部と、
前記ユーザがログアウトするとき、前記ユーザが使用するウィンドウ群の前記表示部で表示されるレイアウトを記憶し、前記ユーザがログインするとき、前記レイアウトを復元して、前記ユーザが使用するウィンドウ群を表示部に表示させるウィンドウ管理部と
を含む情報処理装置。
（２）  前記ウィンドウ管理部は、
前記ユーザの前記表示部上における視野範囲を特定する視野範囲特定部を含み、
前記ユーザがログアウトするとき、前記ユーザの視野範囲における前記ウィンドウ群の前記表示部に表示されるレイアウトを記憶し、前記ユーザがログインするとき、前記ユーザの前記視野範囲に前記レイアウトを復元して、前記ユーザが使用するウィンドウを表示させる
（１）に記載の情報処理装置。
（３）  前記ウィンドウ管理部は、
前記表示部上におけるウィンドウ群の実座標に基づいて、前記視野範囲に設定する座標系で表現される相対座標を算出する、または、前記相対座標および前記視野範囲に基づいて前記表示部上におけるウィンドウ群の前記実座標を算出する座標算出部を含み、
前記ユーザがログアウトするとき、前記ユーザの視野範囲における前記ウィンドウ群の前記表示部に表示されるレイアウトの実座標に対応する前記相対座標からなるレイアウトデータを記憶させ、前記ユーザがログインするとき、前記レイアウトデータを読み出し、前記相対座標と前記視野範囲に対応する、前記実座標で前記ユーザが使用するウィンドウ群を、前記ユーザの前記視野範囲に前記レイアウトを復元して表示させる
（２）に記載の情報処理装置。
（４）  前記レイアウトデータを記憶するレイアウトデータ記憶部をさらに含み、
前記ウィンドウ管理部は、前記ログアウトの際、前記ユーザを識別する情報と共に前記レイアウトデータを前記レイアウトデータ記憶部に記憶させ、前記ログインの際、前記レイアウトデータ記憶部より前記レイアウトデータを読み出す
（３）に記載の情報処理装置。
（５）  前記レイアウトデータ記憶部は、ネットワークを介して通信可能なサーバに設けられ、
前記ユーザがログアウトするとき、前記ウィンドウ管理部は、前記レイアウトデータを前記サーバの前記レイアウトデータ記憶部に格納させ、前記ユーザがログインするとき、前記ウィンドウ管理部は、前記サーバより前記レイアウトデータを読み出して、前記レイアウトを復元して、前記ユーザが使用するウィンドウを表示部に表示させる
（４）に記載の情報処理装置。
（６）  前記ウィンドウ群における前記ウィンドウ毎に優先度スコアを設定する優先度スコア設定部をさらに含み、
前記ユーザがログアウトする情報処理装置、および前記ユーザがログインする情報処理装置が異なる場合、前記ウィンドウ管理部は、前記レイアウトを復元した前記ウィンドウを全て表示できないとき、前記優先度スコアに応じた、一部の前記ウィンドウを前記表示部に表示させる
（５）に記載の情報処理装置。
（７）  前記優先度スコア設定部は、前記ウィンドウ群における前記ウィンドウ毎の操作履歴、表示サイズ、および前記ユーザの視線が向けられた頻度の全て、または、これらの組み合わせに応じて、優先度スコアを設定する
（６）に記載の情報処理装置。
（８）  前記ユーザがログアウトする情報処理装置、および前記ユーザがログインする情報処理装置が異なる場合、前記ウィンドウ管理部は、前記ログインする情報処理装置の前記表示部の解像度およびサイズに応じたウィンドウの適正サイズを設定し、前記レイアウトを復元した前記ウィンドウのサイズが適正サイズよりも大きい、または、小さいとき、前記適正サイズにして前記表示部に表示させる
（６）に記載の情報処理装置。
（９）  表示部が、ユーザ毎に使用されるアプリケーションプログラムからなるコンテンツ毎のウィンドウを表示し、
前記表示部を閲覧するユーザを個別に認識しと、
前記ユーザがログアウトするとき、前記ユーザが使用するウィンドウ群の前記表示部で表示されるレイアウトを記憶し、前記ユーザがログインするとき、前記レイアウトを復元して、前記ユーザが使用するウィンドウ群を表示部に表示させる
ステップを含む情報処理方法。
（１０）  表示部により、ユーザ毎に使用されるアプリケーションプログラムからなるコンテンツ毎のウィンドウを表示する表示ステップと、
前記表示部を閲覧するユーザを個別に認識するユーザ認識ステップと、
前記ユーザがログアウトするとき、前記ユーザが使用するウィンドウ群の前記表示部で表示されるレイアウトを記憶し、前記ユーザがログインするとき、前記レイアウトを復元して、前記ユーザが使用するウィンドウ群を表示部に表示させるウィンドウ管理ステップと
を含む処理をコンピュータに実行させるプログラム。
（１１）  表示部により、ユーザ毎に使用されるアプリケーションプログラムからなるコンテンツ毎のウィンドウを表示する表示ステップと、
前記表示部を閲覧するユーザを個別に認識するユーザ認識ステップと、
前記ユーザがログアウトするとき、前記ユーザが使用するウィンドウ群の前記表示部で表示されるレイアウトを記憶し、前記ユーザがログインするとき、前記レイアウトを復元して、前記ユーザが使用するウィンドウ群を表示部に表示させるウィンドウ管理ステップと
を含む処理をコンピュータに実行させるプログラムが記録された記録媒体。
（１２）  情報処理装置およびサーバより構成される情報処理システムにおいて、
前記情報処理装置は、
ユーザ毎に使用されるアプリケーションプログラムからなるコンテンツ毎のウィンドウを表示する表示部と、
前記表示部を閲覧するユーザを個別に認識するユーザ認識部と、
前記ユーザがログアウトするとき、前記ユーザが使用するウィンドウ群の前記表示部で表示されるレイアウトのデータであるレイアウトデータを前記サーバに送信し、前記ユーザがログインするとき、前記レイアウトデータを前記サーバより受信して、前記レイアウトを復元し、前記ユーザが使用するウィンドウ群を表示部に表示させるウィンドウ管理部と
を含み、
前記サーバは、
前記レイアウトデータを記憶する記憶部と、
前記情報処理装置からの前記レイアウトデータを受信すると共に、前記記憶部に記憶されている前記レイアウトデータを前記情報処理装置に送信する通信部と
を含む情報処理システム。